(57)【要約】【課題】ドアユニットが高温となりその内部に配置している表示部も使用温度内ではあるが高温下にさらされても、フルドット液晶表示器の視認性向上が実現することにある。【解決手段】  高温環境時にネガタイプのフルドット液晶表示器の視認性を向上するため、フルドット液晶表示器周辺の温度を検出し、温度状態に応じてフルドット液晶表示器のコントラストを段階的に補正し、フルドット液晶表示器のバックライト輝度も検出温度に応じてを輝度を低い側に補正する機能を設けた。【選択図】        図４
2020200956.tif 000002
【特許請求の範囲】
【請求項１】
被加熱物を収納する加熱室と、前記被加熱物を加熱する加熱手段と、前記被加熱物の加熱に係り前記加熱手段を制御する制御部と、前記被加熱物の加熱にかかわる情報を表示する表示部を有し、前記表示部はドット型液晶がバックライトの照射を受ける構成であって、前記表示部の近傍あるいは内部に設けられた温度検出部を有し、前記温度検出部の検出温度に基づいて、前記表示部のコントラストを変化させるとともに、前記表示器のバックライトの輝度を変化させることを特徴とする加熱調理器。
【発明の詳細な説明】
【技術分野】
【０００１】
本発明は、加熱調理器に関するものである。
【背景技術】
【０００２】
加熱調理器は、加熱室に被加熱物を格納して、電子レンジ加熱、グリル加熱、オーブン加熱、スチーム・過熱水蒸気加熱等により、被加熱物を加熱するものである。これらの加熱について使用者が所望の操作をするために、選択された調理メニューや入力された内容や調理の進行状態を表示器に表示する。このような表示器を有する加熱調理器は、例えば、特開２００３−１４８７４０号公報に知られている。
【先行技術文献】
【特許文献】
【０００３】
【特許文献１】特開２００３−１４８７４０号公報
【発明の概要】
【発明が解決しようとする課題】
【０００４】
この表示器として液晶表示器として搭載するものが多い。例えば、いわゆるフルドット液晶表示器を用いることが多くなってきた。使用者が調理時間や設定を確認するのに表示部を見ておこなうが、被加熱物が高温となった場合、あるいは、加熱室内が高温となったて場合に、表示器が熱の影響を受けて、表示が薄めになったり、本来の色とは異なる色に見えたり等、視認性があまり良くなかった。
【課題を解決するための手段】
【０００５】
本発明は上記の課題を解決するためになされたものであり、被加熱物を収納する加熱室と、前記被加熱物を加熱する加熱手段と、前記被加熱物の加熱に係り前記加熱手段を制御する制御部と、前記被加熱物の加熱にかかわる情報を表示する表示部を有し、前記表示部はドット型液晶がバックライトの照射を受ける構成であって、前記表示部の近傍あるいは内部に設けられた温度検出部を有し、前記温度検出部の検出温度に基づいて、前記表示部のコントラストを変化させるとともに、前記表示器のバックライトの輝度を変化させるように構成した。
【発明の効果】
【０００６】
本発明によれば、視認性の向上が実現できる。
【図面の簡単な説明】
【０００７】
【図１】本発明の加熱調理器の本体の正面図である。
【図２】本発明の加熱調理器のドア開けた状態の図である。
【図３】操作部の詳細図である。
【図４】同加熱調理器の概略的な制御回路構成を示すプロック図ある。
【図５】本発明の加熱調理器の視認性改善を説明するフローチャートである。
【発明を実施するための形態】
【０００８】
以下、図1〜図5を参照して本発明の実施例を説明する。
【０００９】
以下に、本発明の具体的内容について上記した図１、図2の図面を参照しながら詳細に説明する。
【００１０】
図１、図2において加熱調理器の本体１は、加熱室２の中に加熱する被調理物を入れ、マイクロ波やヒータ，水蒸気の熱を使用して被調理物を加熱調理する。
【００１１】
ドア３は、加熱室２の内部に被調理物を出し入れするために開閉するもので、ドア３を閉めることで加熱室２を密閉状態にし、被調理物を加熱する時に使用するマイクロ波の漏洩を防止し、熱を封じ込め、効率良く加熱することを可能とする。
【００１２】
次に、ドア３の下側に設けられた操作表示部６について説明する。操作表示部６は、ＬＣＤ表示器604に表示される手動調理の調理方法や、調理出力設定や調理温度設定や調理時間設定や調理仕上り設定やオーブン調理の予熱の有無設定等を選択し、スタートキー・回転ダイヤル602を押し動作開始する。ＬＣＤ表示器604には、調理に必要な食材や調味料などの使用量を表示し、使用者は表示内容に従い調理準備を行なう。
【００１３】
操作表示部６には、メニューの決定や調理のスタートを入力するスタートキー・回転ダイヤル602、スタートキー・回転ダイヤル602の近くに配置して各種設定や設定の取り消しや調理の中止を入力する選択キー60、手動調理の調理方法やオート調理メニュー、調理出力設定や調理温度設定や調理時間設定や調理仕上り設定や調理に必要な食材や調味料などの使用量、オーブン調理の予熱の有無設定等本体1の状態や操作などの情報を表示するLCD表示器604を備える。
【００１４】
まず初めに、ＬＣＤ表示器604には選択メニューが表示される。この選択メニューとして、手動調理とオート調理がＬＣＤ表示器604に表示される。この時に使用者は選択キー60とスタートキー・回転ダイヤル602を操作することで手動調理とオート調理のいずれかを選択できる。
【００１５】
オート調理が選択された場合を説明する。オート調理が選択されると、ＬＣＤ表示器604には選択できる調理メニュー名が表示される。この状態で例えばＬＣＤ表示器604には、初期メニューとして、「No.1  おかず・ごはん」「No.2  冷凍ごはん」「No.3  飲み物・牛乳」が縦方向にならんで表示される。一度に画面に表示されるメニュー名の数は３つとなっており、スタートキー・回転ダイヤル602を回すと順次「No.4  酒かん」「No.5  解凍あたため」…が読みだされて表示される。さらにスタートキー・回転ダイヤル602を回わして、例えば、３つのメニュー名「No.9  ビーフカレー」「No.10  肉じゃが」「No.11  チンジャオロース」が表示されると、真ん中のメニューの左側に三角マークが表示されて、「No.10  肉じゃが」が選択可能となる。この状態で、選択キー60の決定ボタンを押すと、実行するメニューを確定する。次に、ＬＣＤ表示器604の表示が変わり、選択したメニュー「No.10  肉じゃが」が表示される共に、「スタートを押して調理を開始してください」と加熱開始指示がＬＣＤ表示器604に表示され、スタートキー・回転ダイヤル602を押すと調理が開始される。
【００１６】
選択された調理メニューに基づき、インバータ電源８を介してマグネトロン７からマイクロ波を供給して被調理物を加熱する電子レンジ調理を行うレンジ加熱手段、加熱室２の加熱室上面に設けたヒータで被調理物を加熱するグリル加熱調理を行うグリル加熱手段、水蒸気により被調理物を加熱してスチーム・過熱水蒸気調理を行う蒸気発生手段２０、加熱室奥壁面２の上方と下方に設けたヒータ１７などによる熱風ユニット１５の熱風で加熱室２を加熱してオーブン加熱調理を行うオーブン加熱手段のいずれか、あるいは、これらの組み合わせで動作が制御される。これらの選択された調理メニューや入力された内容や調理の進行状態はＬＣＤ表示器604に表示する。
【００１７】
設定により、電子レンジ調理，グリル加熱調理，オーブン加熱調理，スチーム・過熱水蒸気調理の４種類の調理方法を単独もしくは組み合わせて行うことにより多様な調理を行う。調理方法は特にこれらに限定されることはない。
【００１８】
例えば、電子レンジ調理では、選択された調理メニューに基づき加熱時間とレンジ出力を演算してインバータ電源８を介してマグネトロン７からマイクロ波を供給して被調理物を加熱する。
【００１９】
図3に操作表示部６の詳細を示す。操作表示部６はパネルカバー6aと基板6bから構成される。操作表示部６のＬＣＤ表示器604はパネル窓部604aと、液晶表示部604ｂと、バックライト604cからなる。液晶表示部604ｂはいわゆるネガタイプのフルドット液晶表示するように構成される。液晶表示部604bのドット変化はバックライト604cから照射される光を受けて、窓部604aから情報を視認できるように構成される。
【００２０】
選択キー６０は、選択キーボタン部60aと選択キー検出部60bからなる。使用者が選択キーボタン部60aを押圧すると、その押圧力が選択キー検出部60bに伝達され、使用者の選択キーボタン部60aの操作が認識される。スタートキー・回転ダイヤル602は、スタートキー・回転ダイヤルボタン部602aとスタートキー・回転ダイヤル検出部602bからなる。使用者がスタートキー・回転ダイヤルボタン部602aを押圧/回転すると、その押圧力がスタートキー・回転ダイヤル検出部602bに伝達され、使用者の操作が認識される。
【００２１】
ドアユニット内温度検出手段701が液晶表示部604bとスタートキー・回転ダイヤル検出部602bの間に配置される。このように、ドアユニット内温度検出手段701は、操作表示部６はドアユニットの内側に収納されるところ、操作表示部６の近傍あるいは表示部内に配置するようにして良い。
次に、図4を用いて制御手段の概略的な回路構成を説明する。
【００２２】
図4は概略的な制御回路構成を示すプロック図ある。制御手段９はマイクロコンピュータを有する回路で構成される。制御手段９（マイクロコンピュータ）の入力端子には、動作を開始させるあるいは停止させる等のスタートキー・回転ダイヤル602と、選択キー60と、加熱室２内の温度を検出する庫内温度検出手段４０と、ドアユニット内温度検出手段701が接続されている。
【００２３】
さらに、制御手段９（マイクロコンピュータ）の出力端子には、これらの入力に基づいて、LCD表示器604と、LED表示器２４と、インバータ電源８（マグネトロン７）と、電熱ヒータ１４と、蒸気発生手段２０と、アンテナモータ１２と、給水手段１９が接続されて制御される。また、バックライト輝度を設定するバックライト輝度設定手段603を有している。ここで、ドアユニット内温度検出手段701は検出温度に応じて温度検出電圧を出力する。制御手段９（マイクロコンピュータ）は該温度検出電圧をＡ／Ｄ変換する機能を有している。
【００２４】
制御手段９（マイクロコンピュータ）は、LCD表示器604のコントラストを制御すると共に、バックライト輝度設定手段603を介してLCD表示器604の輝度を制御する。
【００２５】
次に、図5の動作フローチャートについて説明する。
【００２６】
操作表示部６でスタートキー・回転ダイヤル602を操作すると加熱が開始される。
加熱が開始されると、まず、ステップ１で、ドアユニット内の温度は規定内（40℃）越えか判断する。ドアユニット内の温度は規定内（40℃）であれば、ＥＮＤに遷移して、このとき、規定温度内であるのでコントラストやバックライト輝度の補正は行わない。
【００２７】
ステップ１で、ドアユニット内の温度は規定（40℃）を超えていると判断されると、ステップ２となり、コントラスト値のみある数値に補正する。ここで、コントラスト値（コントラスト比）は、ＬＣＤ表示器604の最も明るい表示状態(白)と最も暗い表示状態(黒)の輝度(明るさ)の比率である。
【００２８】
ステップ２におけるコントラスト値、ステップ４におけるコントラスト値、ステップ６におけるコントラスト値を比較すると、ステップ２におけるコントラスト値を最も大きく、ステップ４におけるコントラスト値をステップ２とステップ６の中間のコントラスト値とし、ステップ６におけるコントラスト値を最も小さく設定する。例えば、ステップ４におけるコントラスト値をステップ２におけるコントラスト値により１０ステップ小さく、ステップ６におけるコントラスト値をステップ４におけるコントラスト値により１５ステップ小さく設定する。
【００２９】
次にステップ３で、ドアユニット内の温度は規定内（60℃）越えか判断するドアユニット内の温度は規定内（60℃）であれば、ＥＮＤに遷移して、これ以上のコントラスト値の補正は行わない。
【００３０】
ステップ３で、ドアユニット内の温度は規定（60℃）を超えていると判断されると、ステップ４に遷移となり、コントラスト値のみある数値（ステップ２におけるコントラスト値より小さいコントラスト値）に補正する。
【００３１】
次にステップ５で、ドアユニット内の温度は規定内（75℃）越えか判断する。ドアユニット内の温度は規定内（75℃）であれば、ＥＮＤに遷移して、これ以上のコントラスト値の補正は行わない。
【００３２】
ステップ５で、ドアユニット内の温度は規定（75℃）を超えていると判断されると、ステップ６となり、コントラスト値をある数値（ステップ４におけるコントラスト値より小さいコントラスト値に補正する。さらに、ステップ７で、バックライト輝度をある数値に補正する。ここで、例えば、補正がない通常のバックライト輝度を１００％輝度とし、ステップ７における補正され低下した輝度を５０％輝度に設定する。
【００３３】
調理終了後や、高温状態で再調理で動作させたときも、温度検出を行いどのステップかを判断し補正を行う。
【００３４】
以上、本実施例によれば、いつでも使用中は視認性がよくなり使い勝手をよくできる。
【符号の説明】
【００３５】
２  加熱室
６  操作表示部
９  制御手段
604   LCD表示器
701  ドアユニット内温度検出手段
【図１】
2020200956.tif 000003
【図２】
2020200956.tif 000004
【図３】
2020200956.tif 000005
【図４】
2020200956.tif 000006
【図５】
2020200956.tif 000007